(57)【要約】【課題】詳細な制御を簡易に行うことが可能なデジタルレコーダーを提供する。【解決手段】ユーザが、予め、ＰＣ等で作成したＡＳＣＩＩデータ形式の命令群リスト２００を記載した命令群リストファイル２１０は、ＵＳＢフラッシュメモリ５０から、内蔵フラッシュメモリ１５１へ読み込まれる。接点端子１０８が接地されると、その信号をトリガとして命令群リスト処理ソフトウェア２１０が、内蔵フラッシュメモリ１５１に保存されている命令群リスト２００に記載されている命令を解釈し、逐一実行する。【選択図】図１
2008271454.tif 000002
【特許請求の範囲】
【請求項１】
外部から入力される動作命令を実行することにより映像の記録をデジタル形式で行うデジタルレコーダーであって、
前記動作命令を実行順に複数連ねて記載した命令群リストから各前記動作命令を読み出して実行することにより、前記映像の記録を行う
デジタルレコーダー。
【請求項２】
請求項１に記載のデジタルレコーダーであって、
前記命令群リストを記憶するためのメモリと、
前記動作命令を実行するトリガとなるトリガ信号を入力するためのトリガ信号端子と
を備えるデジタルレコーダー。
【請求項３】
請求項２に記載のデジタルレコーダーであって、
前記トリガ信号端子は、接点端子である
デジタルレコーダー。
【請求項４】
請求項２に記載のデジタルレコーダーであって、
前記トリガ信号端子は、ＲＳ２３２Ｃ端子である
デジタルレコーダー。
【請求項５】
請求項２に記載のデジタルレコーダーであって、
前記トリガ信号端子は、ＬＡＮ端子である
デジタルレコーダー。
【請求項６】
請求項２に記載のデジタルレコーダーであって、
前記トリガ信号端子は、二以上の所定の数備えられ、
前記命令群リストは、前記メモリに前記所定の数記憶され、
各前記トリガ信号端子と各前記命令群リストとは互いに対応付けられている
デジタルレコーダー。
【請求項７】
請求項１又は請求項２に記載のデジタルレコーダーであって、
前記映像を、ネットワークを介して接続されたカメラにより取り込む
デジタルレコーダー。
【発明の詳細な説明】
【技術分野】
【０００１】
本発明は、デジタルレコーダーに関し、特に、詳細な制御を簡易に行うための技術に関する。
【背景技術】
【０００２】
近年、監視用デジタルレコーダーの機能が高度、複雑化する傾向にある。監視用デジタルレコーダーは、ビルやそのほかの建物等の屋内、および屋外において不審(人)物や、侵入者等を監視する目的で使用されることが多い。監視用デジタルレコーダーは様々な機種が開発されており、非常に多機能であることが1つの特徴である。動き検知機能、アラーム機能、マルチチャンネル入力機能、映像データのＤＶＤメディアへの保存機能、映像データの圧縮、コピー機能、その他にも多くの機能が搭載されている機種が存在する。
【０００３】
そのため、監視用デジタルレコーダーを操作するユーザは、複雑な操作手順を習得しなければならず、一般的な操作を習得するのでさえ一定の期間が必要になるケースが一般的である。また、近年ではネットワークや映像処理等をはじめとしたデジタル技術の進歩が非常に早く、これらの先端技術が適用されている監視用デジタルレコーダーの場合は、完全に操作に習熟しようとすれば、それらの分野に関する専門知識等も習得が必要となるケースもある。
【０００４】
このため、これまでユーザからは、複雑な設定、操作に対する自動化の要求があった。しかしながら、この要求に対応しようとした場合、ユーザごとに監視用デジタルレコーダーの使用方法、用途、操作等が異なるため、従来は、ユーザごとにカスタム機能を実装した監視用デジタルレコーダーを作成する必要があった。
【０００５】
しかし、ユーザごとにカスタム機能を実装しようとすると、開発期間が長くなり、開発費用も高くなるため、費用対効果の面で効率的であるとはいえない。
【０００６】
特許文献１においてはＰＣに関して、特許文献２においては監視装置に関して、それぞれ、ユーザによる制御を効率化する手法が開示されている。
【０００７】
【特許文献１】特開２００１−７５７８４号公報
【特許文献２】特開２００５−２０２４６０号公報
【発明の開示】
【発明が解決しようとする課題】
【０００８】
近年ではデジタルレコーダーの機能が高度・複雑化し、ユーザに対して非常に複雑な操作手順を要求するデジタルレコーダーも少なくない。従って、従来の手法により詳細な制御を行った場合には、操作等が煩雑になってしまうという問題点があった。
【０００９】
本発明は、以上の問題点を解決するためになされたものであり、詳細な制御を簡易に行うことが可能なデジタルレコーダーを提供することを目的とする。
【課題を解決するための手段】
【００１０】
本発明に係るデジタルレコーダーは、外部から入力される動作命令を実行することにより映像の記録をデジタル形式で行うデジタルレコーダーであって、前記動作命令を実行順に複数連ねて記載した命令群リストから各前記動作命令を読み出して実行することにより、前記映像の記録を行う。
【発明の効果】
【００１１】
本発明に係るデジタルレコーダーは、外部から入力される動作命令を実行順に複数連ねて記載した命令群リストから各前記動作命令を読み出して実行するので、詳細な制御を簡易に行うことができる。
【発明を実施するための最良の形態】
【００１２】
以下、図面を参照して、本発明を実施するための最良の形態について説明する。
【００１３】
＜実施の形態１＞
図１は、本発明の実施の形態１に係る監視用デジタルレコーダー１００の構成を示すブロック図である。この監視用デジタルレコーダー１００は、ユーザにより遠隔地から入力される動作命令を実行することにより、映像の記録をデジタル形式で行うものである。
【００１４】
図１に示されるように、監視用デジタルレコーダー１００は、その内部に、ソフトウェアを実行するためのＣＰＵ１５０、ソフトウェアを実行する領域であるＲＡＭ１５２、書き換え可能な不揮発性の記憶領域として内蔵フラッシュメモリ１５１および、映像データ蓄積用にそれぞれ、ＤＶＤドライブ１０５とＨＤＤ１０４とを搭載している。
【００１５】
また、監視用デジタルレコーダー１００は、自身に直接に接続された監視用カメラ１０から取得したアナログ信号をデジタルデータに変換するためのＡ／Ｄ変換器１０１、Ａ／Ｄ変換器１０１から出力されたデジタルデータを圧縮データに変換するための圧縮手段１０２および、遠隔地のＰＣ等からネットワークを利用して監視用デジタルレコーダー１００を操作できる機能や、ＲＳ２３２Ｃコマンドを使用して監視用デジタルレコーダー１００を操作できる機能等を実現するために、それぞれＬＡＮ端子１０６とＲＳ２３２Ｃ端子１０７とを搭載している。また、監視用デジタルレコーダー１００は、様々なデータ受け渡し等の拡張機能のためにＵＳＢ端子１０９を搭載している。さらに、監視用デジタルレコーダー１００は、接点端子１０８を搭載している。この接点端子１０８は、特定の端子ではなく、接地可能な端子全般を指すものとする。接点端子１０８は、後述するように、本発明に係るトリガ信号端子として機能するものであり、動作命令を実行するトリガ信号として接地電位が入力されるものである。
【００１６】
図１に示されるように、監視用デジタルレコーダー１００には、４個の監視用カメラ１０（１０ａ〜１０ｄ）が接続されており、監視用カメラ１０ａ〜１０ｄそれぞれに対して、画質や記録秒間フレームレートｆｐｓ（１秒間に記録する画像の枚数）等に関するパラメータの設定を行うことができる機能を備えている。映像の記録が開始されると、監視用デジタルレコーダー１００は、設定された記録秒間フレームレートｆｐｓでアナログ映像信号を取り込んだ後に、Ａ／Ｄデジタル映像に変換し、設定された画質パラメータから算出された圧縮率に応じて、デジタル映像を圧縮し、それらの映像をＨＤＤ１０４に蓄積しておく機能を備えている。また、ＨＤＤ１０４に蓄積された映像は、任意の時間に閲覧、再生することが可能である。また、ＤＶＤドライブ１０５を搭載することにより、ＤＶＤメディアに直接圧縮された映像を記録、あるいはＨＤＤ１０４に蓄積された圧縮映像をＤＶＤメディアにコピーする機能も有している。
【００１７】
また、図１において、ＣＰＵ１５０は、周辺ＩＣの制御やその他のソフトウェア機能を実現するために搭載されている。同様に、ＲＡＭ１５２は、ＣＰＵ１５０が搭載しているソフトウェアを実行するために主に使用される。また、内蔵フラッシュメモリ１５１は、搭載しているソフトウェアのマイクロコードや、監視用デジタルレコーダー１００本体の電源を落とした場合でも保存しておく必要があるデータ等の保存のために使用される。
【００１８】
本実施の形態に係る図１の監視用デジタルレコーダー１００の動作においては、ユーザがＰＣ等で作成したＡＳＣＩＩデータ形式の命令群リストを記載した命令群リストファイルをＵＳＢフラッシュメモリに保存しておくことを特徴とする。この監視用デジタルレコーダー１００においては、搭載されている接点端子１０８が接地されると、その信号をトリガとして、命令群リスト処理ソフトウェアが、内蔵フラッシュメモリ１５１に保存されている命令群リストに記載されている命令（動作命令）を解釈し、逐一実行する。
【００１９】
図２は、本実施の形態に係る監視用デジタルレコーダーの動作を示す模式図である。
【００２０】
本実施の形態では、ユーザが、予め、ＰＣ等で作成したＡＳＣＩＩデータ形式の命令群リスト２００を記載した命令群リストファイル２１０をＵＳＢフラッシュメモリ５０に保存しておき、このＵＳＢフラッシュメモリ５０を監視用デジタルレコーダー１００のＵＳＢ端子１０９に差し込む。監視用デジタルレコーダー１００は、ＵＳＢフラッシュメモリ５０を自動認識するとともに、ＵＳＢフラッシュメモリ５０に保存されている命令群リスト２００を読み込み、命令群リスト処理ソフトウェア２１０が、命令群リスト２００を内蔵フラッシュメモリ１５１に保存するものである。
【００２１】
本実施の形態に係る監視用デジタルレコーダー１００は、接点端子１０８が接地されると、その信号をトリガとして命令群リスト処理ソフトウェア２１０が内蔵フラッシュメモリ１５１に保存されている命令群リスト２００に記載されている命令を解釈し、逐一実行する機能を有している。なお、図２においては、制御の流れが破線で示されている。
【００２２】
次に、図３を参照して、図２の命令群リスト２００および命令群リスト処理ソフトウェア２１０について説明する。図３（ａ）には命令群リスト２００の構成が、図３（ｂ）には命令群リスト処理ソフトウェア２１０の処理手順に係るフローチャートが、それぞれ示されている。
【００２３】
図３（ａ）に示されるように、命令群リスト２００には、上段から下段へ向かって、複数個の命令（命令１〜４等）が記載されている。
【００２４】
図３（ｂ）に示されるように、まず、ステップＳ１において、命令群リスト処理ソフトウェア２１０は（言い換えればＣＰＵ１５０は）、命令群リスト２００の最上段に記載されている１個の命令すなわち命令１を読み込む。
【００２５】
次に、ステップＳ２において、命令群リスト処理ソフトウェア２１０（ＣＰＵ１５０）は、ステップＳ１で読み込んだ命令１を解析する。
【００２６】
次に、ステップＳ３において、命令群リスト処理ソフトウェア２１０（ＣＰＵ１５０）は、ステップＳ２における解析結果に基づき、命令１を実行する。
【００２７】
次に、ステップＳ４において、命令群リスト処理ソフトウェア２１０（ＣＰＵ１５０）は、命令群リスト２００に次の命令が記載されているかどうかを判定する。そして、命令１の下に命令２が記載されていることを検知すると、命令２を次の実行対象に指定した後にステップＳ１へ進む。また、命令群リスト２００に次の命令が記載されていない場合には、処理を終了する。これにより、命令群リスト２００に上段から下段へ向かって記載されている全ての命令を順に実行させることができる。
【００２８】
次に、図４を参照して、命令群リスト２００に記載される命令群の具体例について説明する。
【００２９】
図４（ａ）には、命令群リスト２００に記載される命令群に含まれる各命令の一例（命令の定義、機能、および使用例）が示されている。
【００３０】
例えば、命令”＃ＳＴＡＲＴ”は、監視用デジタルレコーダー１００に対して、命令群の実行を開始させる命令である。また、命令”＃ＥＮＤ”は、監視用デジタルレコーダー１００に対して、命令群の実行を終了させる命令である。また、命令”＃ＣａｍＮ  ｑｕａｌｉｔｙ  ｆｐｓ”は、監視用デジタルレコーダー１００に対して、使用すべき監視用カメラ１０をカメラ番号Ｎで指定するとともに、指定された監視用カメラ１０の画質や記録秒間フレームレートｆｐｓなどを設定する命令である。また、命令”＃ＲＳＶＤＶＤ”は、監視用デジタルレコーダー１００に対して、記録した画像をＤＶＤへコピーさせる命令である。
【００３１】
また、命令”／／”は、実際には、監視用デジタルレコーダー１００に対する命令を記載するものではなく、命令群を記述する上でのメモ書き等をコメントアウトするためのものである。すなわち、図４（ａ）に示されるような各命令を用いることにより、プログラミング言語のような感覚で監視用デジタルレコーダー１００に対する設定を行うことができる。なお、命令の先頭に識別子”＃”が付与されている場合にのみ、監視用デジタルレコーダー１００に対する命令が実際に行われる。
【００３２】
図４（ｂ）には、命令群リスト２００に記載される命令群の記述例が示されている。
【００３３】
図４（ｂ）の命令群は、監視用デジタルレコーダー１００に対して、所望の設定を施した（命令”＃ＣａｍＮ”）後に、ＨＤＤ１０４への映像の記録を開始させ（命令”ＲＥＣＯＮ”）、記録が終了した後に、ＨＤＤ１０４からＤＶＤメディアへ映像をコピーし保存する（命令”ＲＳＶＤＶＤ”）という一連の処理手順を簡易化するために作成されたものである。なお、図４（ｂ）は、ＤＶＤメディアへ記録された映像を確認または回収するために、５時間経過後に（命令”＃ＷＡＩＴ”）ユーザが訪れるという状況を想定している。なお、命令群リスト２００においては、命令”＃ＪＰＮ”により条件分岐ジャンプを行う場合を除いて、上段から下段へ向かって順次各命令が実行される。
【００３４】
図５は、図４（ｂ）に示される命令群の記述例における処理手順を示すフローチャートである。
【００３５】
まず、ステップＳ１１において、命令群リスト処理ソフトウェア２１０（ＣＰＵ１５０）は、監視用カメラ１０ａ〜１０ｄそれぞれに対して、ユーザが所望する画質や画質や記録秒間フレームレートｆｐｓ等に関するパラメータの設定を行う。
【００３６】
次に、ステップＳ１２へ進み、命令群リスト処理ソフトウェア２１０（ＣＰＵ１５０）は、映像の記録を開始させる。この映像は、ステップＳ１１で設定された画質や記録秒間フレームレートｆｐｓ等に基づき記録され、ＨＤＤ１０４へ蓄積される。
【００３７】
次に、ステップＳ１３へ進み、命令群リスト処理ソフトウェア２１０（ＣＰＵ１５０）は、ステップＳ１２で開始された映像の記録が、成功したかどうかを判定する（命令”＃ＪＰＮ  ＠Ｌ１”）。失敗した場合には、ラベルを意味する識別子”＠”が先頭に付与された命令”＠Ｌ１”に引き続く命令を実行するために、ステップＳ１４へ進む。成功した場合には、命令”＃ＪＰＮ  ＠Ｌ１”に引き続く命令”＃ＲＳＶＤＶＤ”を実行するために、ステップＳ１５へ進む。
【００３８】
次に、ステップＳ１４において、命令群リスト処理ソフトウェア２１０（ＣＰＵ１５０）は、監視用デジタルレコーダー１００の電源をスタンバイ状態（半停止状態）とし（命令”＃ＳＴＡＮＤＢＹ”）、一連の処理を終了する。ここでいう半停止状態とは、監視用デジタルレコーダー１００の主要な機能は利用できないものの、特定のユーザ入力には対応できるような状態を指し、ほとんど電力を消費しない。ここでは、所望する動作をユーザが行わなかった場合に電力を無駄に消費することを防ぐために、命令”＃ＳＴＡＮＤＢＹ”を記述している。
【００３９】
次に、ステップＳ１５において、命令群リスト処理ソフトウェア２１０（ＣＰＵ１５０）は、ＨＤＤ１０４からＤＶＤメディアへ映像をコピーし保存する（命令”ＲＳＶＤＶＤ”）。
【００４０】
次に、ステップＳ１６へ進み、命令群リスト処理ソフトウェア２１０（ＣＰＵ１５０）は、電力を無駄に消費することを防ぐために、監視用デジタルレコーダー１００の電源をスタンバイ状態（半停止状態）とし（命令”＃ＳＴＡＮＤＢＹ”）、ステップＳ１７へ進む。
【００４１】
次に、ステップＳ１７において、命令群リスト処理ソフトウェア２１０（ＣＰＵ１５０）は、監視用デジタルレコーダー１００を、電源スタンバイ状態で５時間待機させ（命令”＃ＷＡＩＴ”）、５時間経過後にステップＳ１８へ進む。
【００４２】
次に、ステップＳ１８において、命令群リスト処理ソフトウェア２１０（ＣＰＵ１５０）は、監視用デジタルレコーダー１００の電源をスタンバイ状態からオン状態へ遷移させる（命令”ＲＥＴＵＲＮ”）、一連の処理を終了する。これにより、ユーザは、監視用デジタルレコーダー１００の設置場所へ遠隔地から到着した場合に、速やかに、ＤＶＤメディアに保存された映像の確認やＤＶＤメディアの回収（トレイからの取り出し）を行うことができる。従って、ユーザは、迅速に次の行動をとることができる。
【００４３】
このように、本実施の形態によれば、監視用デジタルレコーダー１００は、外部から入力される動作命令を実行順に複数連ねて記載した命令群リスト２００から各前記動作命令を読み出して実行するので、詳細な制御を簡易に行うことができる。
【００４４】
また、接点端子１０８をトリガ信号端子として用いることにより、遠隔操作が可能となる。
【００４５】
なお、上述においては、説明の都合上、図４を用いて、比較的に少数の命令からなる命令群について説明したが、命令群をさらに多数の命令から構成することにより、ユーザはさらに詳細な制御を行うことが可能となる。
【００４６】
＜実施の形態２＞
図６は、実施の形態２に係る監視用デジタルレコーダーの動作を示す模式図である。
【００４７】
図６に示されるように、監視用デジタルレコーダー１００は、ＲＳ２３２Ｃ端子１０７から、ＲＳ２３２Ｃケーブル３１０を介して、ＰＣからなる端末３００のＲＳ２３２Ｃ端子へ接続されている。
【００４８】
この監視用デジタルレコーダー１００においては、端末３００から送信された所定のＲＳ２３２Ｃコマンドをトリガとして、命令群リスト処理ソフトウェア２１０が、内蔵フラッシュメモリ１５１に保存されている命令群リスト２００に記載されている命令を解釈し、逐一実行する。
【００４９】
なお、監視用デジタルレコーダー１００は、実施の形態１において上述したように、ＵＳＢ端子１０９を介して、命令群リスト２００を読み込み、命令群リストファイルを内蔵フラッシュメモリ１５１に保存するものである。
【００５０】
また、上述においては、端末３００がＰＣからなる場合について説明したが、ＰＣに限らず、任意のＲＳ２３２Ｃコマンドを送信できる機能を備えているものであればよい。
【００５１】
このように、本実施の形態においては、トリガ信号端子としてＲＳ２３２Ｃ端子１０７を用いるので、実施の形態１の効果に加えて、ＰＣ等からの遠隔操作を容易に行うことができるという効果を奏する。
【００５２】
＜実施の形態３＞
図７は、実施の形態３に係る監視用デジタルレコーダーの動作を示す模式図である。
【００５３】
図７に示されるように、監視用デジタルレコーダー１００は、ＬＡＮ端子１０６から、ＬＡＮケーブル４１０、ネットワーク４００、およびＬＡＮケーブル４２０を介して、ＰＣからなる端末３００のＬＡＮ端子へ接続されている。
【００５４】
この監視用デジタルレコーダー１００においては、端末３００から送信された所定のコマンドをトリガとして、命令群リスト処理ソフトウェア２１０が、内蔵フラッシュメモリ１５１に保存されている命令群リスト２００に記載されている命令を解釈し、逐一実行する。
【００５５】
なお、監視用デジタルレコーダー１００は、ネットワーク通信を行うために、ＴＣＰ／ＩＰプロトコルスタック等を実装しておく必要がある。これを実現するために、監視用デジタルレコーダー１００は、搭載すべき機能、処理等の特性に応じて、プロトコルスタックが実装済みのオペレーティングシステムを採用してもよい。
【００５６】
このように、本実施の形態においては、トリガ信号端子としてＬＡＮ端子１０６を用いるので、実施の形態１の効果に加えて、ネットワーク４００経由での遠隔操作を容易に行うことができるという効果を奏する。
【００５７】
なお、実施の形態１〜３においては、図１に示されるような４系統の映像入力端子を搭載した一般的な監視用デジタルレコーダー１００を想定して説明を行ったが、本発明は、映像入力系統の数や上述した監視用デジタルレコーダー１００の細かい仕様に限定されるものではない。
【００５８】
＜実施の形態４＞
図８は、実施の形態４に係る監視用デジタルレコーダーの動作を示す模式図である。
【００５９】
図８に示されるように、監視用デジタルレコーダー１００は、接点端子１０８および命令群リスト２００を、それぞれ４個ずつ（端子１０８ａ〜１０８ｄおよび命令群リスト２００ａ〜２００ｄ）搭載している。
【００６０】
命令群リスト２００ａ〜２００ｄは、それぞれ、接点端子１０８ａ〜１０８ｄに対応付けられており、自身に対応付けられた接点端子１０８の接地をトリガとして命令を実行するものである。例えば接点端子１０８ａが接地されると、命令群リスト処理ソフトウェア２１０が、接点端子１０８ａに対応する命令群リスト２００ａに記載されている命令を解釈し、逐一実行する。
【００６１】
なお、上述においては、接点端子１０８および命令群リスト２００が、それぞれ４個ずつ搭載される場合について説明したが、４個に限らず、複数個すなわち２個以上であればよい。
【００６２】
このように、本実施の形態においては、端子１０８および命令群リスト２００が二以上の所定の数ずつ備えられ、それぞれが互いに対応付けられている。従って、実施の形態１の効果に加えて、複数個の命令群リスト２００を容易に使い分けることを可能とすることにより、さらに詳細な制御を簡易に行うことができるという効果を奏する。
【００６３】
＜実施の形態５＞
図９は、実施の形態５に係る監視用デジタルネットワークレコーダーの動作を示す模式図である。
【００６４】
図９に示されるように、監視用デジタルネットワークレコーダー５００は、図１の監視用デジタルレコーダー１００と同様に、ＣＰＵ５５０、ＲＡＭ５５２、内蔵フラッシュメモリ５５１、ＨＤＤ５０４、ＬＡＮ端子５０６、および接点端子５０８等を搭載している。
【００６５】
また、監視用デジタルネットワークレコーダー５００にはＬＡＮ端子５０６を介してネットワーク４００が接続されており、ネットワーク４００にはＨＵＢ６００が接続されており、ＨＵＢ６００には４個の監視用ネットワークカメラ３０ａ〜３０ｄが接続されている。
【００６６】
監視用デジタルネットワークレコーダー５００は、監視用ネットワークカメラ３０ａ〜３０ｄが遠隔地に設置されている場合にも、ＬＡＮ端子５０６およびネットワーク４００を介して監視用ネットワークカメラ３０ａ〜３０ｄから映像を取得し、ＨＤＤ５０４に蓄積しておく機能を備えている。監視用デジタルネットワークレコーダー５００に関するその他の機能は、実施の形態１で上述した監視用デジタルレコーダー１００と同様である。
【００６７】
このように、本実施の形態においては、記録すべき映像を、ネットワーク４００を介して接続された監視用ネットワークカメラ３０により取り込むので、監視用デジタルネットワークレコーダー５００と監視用ネットワークカメラ３０とは、同一の場所に設置する必要がない。従って、実施の形態１の効果に加えて、設置場所の選定を柔軟に行うことができるという効果を奏する。
【００６８】
以下、本発明の産業上の利用可能性について説明する。
【００６９】
本発明は、書き換え可能な命令群リスト処理機能を備えたデジタルレコーダーに関するものである。例えば、本発明で定義しているデジタルレコーダーを、侵入者等を監視するための監視用のデジタルレコーダーであると仮定する。監視用デジタルレコーダーは、各社で様々な機種が開発されており、動き検知機能、アラーム機能、マルチチャンネル入力機能、映像データのＤＶＤメディアへの保存機能等を備えた多機能なモデルも少なくない。
【００７０】
監視用レコーダーの特徴として、常時人間がリアルタイムで遠隔監視しているような使用用途もあるが、終日監視カメラから得られた映像や音声をレコーダー内部のＨＤＤに蓄積しておき、後にその映像に対して動き検知処理やアラーム機能を適用し、不審人物などが出現した可能性が高い映像のみＤＶＤメディアに保存するような使用用途も比較的多い。
【００７１】
このように、監視用デジタルレコーダーの場合、毎回定型的な操作手順を繰り返しユーザが実行しなければならない場合も多い。本発明によれば、これらの操作手順を命令群リストとして作成し、監視用デジタルレコーダー内部に一度登録しておくことで、ユーザの負担を大幅に低減できることに加え、正確に操作手順を実行することが可能となる。また、命令群リストを作成し、レコーダー内部に登録する操作手順のみ習得しておけば、監視用レコーダーの操作に未熟なユーザであっても適切に監視用レコーダーを動作させることが可能となり、利便性を向上させることができる。
【図面の簡単な説明】
【００７２】
【図１】実施の形態１に係る監視用デジタルレコーダーの構成を示すブロック図である。
【図２】実施の形態１に係る監視用デジタルレコーダーの動作を示す模式図である。
【図３】実施の形態１に係る監視用デジタルレコーダーの命令群リストおよび命令群リスト処理ソフトウェアをそれぞれ示す図およびフローチャートである。
【図４】実施の形態１に係る監視用デジタルレコーダーの命令群リストに記載される命令群の具体例を示す図である。
【図５】実施の形態１に係る監視用デジタルレコーダーの命令群における処理手順を示すフローチャートである。
【図６】実施の形態２に係る監視用デジタルレコーダーの動作を示す模式図である。
【図７】実施の形態３に係る監視用デジタルレコーダーの動作を示す模式図である。
【図８】実施の形態４に係る監視用デジタルレコーダーの動作を示す模式図である。
【図９】実施の形態５に係る監視用デジタルネットワークレコーダーの動作を示す模式図である。
【符号の説明】
【００７３】
１〜４  命令、１０  監視用カメラ、５０  ＵＳＢフラッシュメモリ、１００  監視用デジタルレコーダー、１０１  Ａ／Ｄ変換器、１０２  圧縮手段、１０４，５０４  ＨＤＤ、１０５  ＤＶＤドライブ、１０６，５０６  ＬＡＮ端子、１０７  ＲＳ２３２Ｃ端子、１０８，５０８  接点端子、１０９  ＵＳＢ端子、１５０，５５０  ＣＰＵ、１５１，５５１  内蔵フラッシュメモリ、１５２，５５２  ＲＡＭ、２００  命令群リスト、２１０  命令群リスト処理ソフトウェア、３００  端末、３１０  ＲＳ２３２Ｃケーブル、４００  ネットワーク、４１０，４２０  ＬＡＮケーブル、５００  監視用デジタルネットワークレコーダー、６００  ＨＵＢ。
【図１】
2008271454.tif 000003
【図２】
2008271454.tif 000004
【図３】
2008271454.tif 000005
【図４】
2008271454.tif 000006
【図５】
2008271454.tif 000007
【図６】
2008271454.tif 000008
【図７】
2008271454.tif 000009
【図８】
2008271454.tif 000010
【図９】
2008271454.tif 000011